(57)【要約】【課題】複数の加工工程で各種加工処理を施して製造する製品に対し、その各工程での製品の規格情報および各工程内の装置の設定値などの仕様情報や、仕様情報をまとめた仕様情報一覧表の、作成や変更などの管理作業を容易に行うことが可能な仕様情報管理方法および仕様情報管理システムを提供すること。【解決手段】本発明の仕様情報管理システムによれば、各仕様情報を作成・設定する仕様情報作成・設定手段と、グループ識別番号設定手段と、仕様情報一覧表作成手段と、グループ識別番号追加手段と、仕様情報一覧表変更手段とを備えた仕様情報管理システム１０と、その情報を記憶する仕様情報データベース１１と、仕様情報を管理する仕様情報管理端末１４と、仕様情報を確認する仕様情報確認端末１７とを備える。【選択図】図１
2008059415.tif 000002
【特許請求の範囲】
【請求項１】
複数の加工工程で加工処理を施して製品を製造する際に、各工程についてその工程での製品の規格情報およびその工程内の装置の設定値などを、複数の仕様情報としてまとめ、それら複数の仕様情報を仕様情報一覧表にしておいて用いる仕様情報管理方法であって、
ある仕様情報一覧表の中の、各仕様情報を作成・設定する仕様情報作成・設定段階と、
ある仕様情報一覧表の中の、複数の仕様情報を１つのグループとして関連付け、そのグループを一意に定める識別番号を設定するグループ識別番号設定段階と、
複数のグループを組み合わせることで、ある工程の仕様情報一覧表が作成される仕様情報一覧表作成段階と、
前記仕様情報一覧表を変更する際に、個々の前記仕様情報と共にその仕様情報が属するグループのグループ識別番号を新たに追加設定するグループ識別番号追加段階と、
変更後のグループを含む複数のグループを組み合わせることで前記仕様情報一覧表が変更される仕様情報一覧表変更段階と
を備えた仕様情報管理方法。
【請求項２】
請求項１に記載の仕様情報管理方法において、
前記仕様情報および前記仕様情報一覧表は、通信ネットワークに接続している端末によって管理され、かつ通信ネットワークに接続している記憶媒体に記憶されることを特徴とする仕様情報管理方法。
【請求項３】
請求項１乃至２に記載の仕様情報管理方法において、
前記仕様情報一覧表は、ある品種の製品の、加工工程ごとに１つあるいは複数存在することを特徴とする仕様情報管理方法。
【請求項４】
請求項１乃至３に記載の仕様情報管理方法において、
前記グループ識別番号を検索語として、全ての仕様情報一覧表の中から当該グループ識別番号を持つ全ての仕様情報一覧表を取得することが可能な仕様情報管理方法。
【請求項５】
複数の加工工程で加工処理を施して製品を製造する際に、各工程についてその工程での製品の規格情報およびその工程内の装置の設定値などを、複数の仕様情報としてまとめ、それら複数の仕様情報を仕様情報一覧表にしておいて用いる仕様情報管理システムであって、
ある仕様情報一覧表の中の、各仕様情報を作成・設定する仕様情報作成・設定手段と、
ある仕様情報一覧表の中の、複数の仕様情報を１つのグループとして関連付け、そのグループを一意に定める識別番号を設定するグループ識別番号設定手段と、
複数のグループを組み合わせることで、ある工程の仕様情報一覧表が作成される仕様情報一覧表作成手段と、
前記仕様情報一覧表を変更する際に、個々の前記仕様情報と共にその仕様情報が属するグループのグループ識別番号を新たに追加設定するグループ識別番号追加手段と、
変更後のグループを含む複数のグループを組み合わせることで前記仕様情報一覧表が変更される仕様情報一覧表変更手段と
を備えた仕様情報管理システム。
【請求項６】
請求項５に記載の仕様情報管理システムにおいて、
前記仕様情報および前記仕様情報一覧表は、通信ネットワークに接続している端末によって管理され、かつ通信ネットワークに接続している記憶媒体に記憶されることを特徴とする仕様情報管理システム。
【請求項７】
請求項５乃至６に記載の仕様情報管理システムにおいて、
前記仕様情報一覧表は、ある品種の製品の、加工工程ごとに１つあるいは複数存在することを特徴とする仕様情報管理システム。
【請求項８】
請求項５乃至７に記載の仕様情報管理システムにおいて、
前記グループ識別番号を検索語として、全ての仕様情報一覧表の中から当該グループ識別番号を持つ全ての仕様情報一覧表を取得することが可能な仕様情報管理システム。
【発明の詳細な説明】
【技術分野】
【０００１】
本発明は、複数の加工工程で各種の加工処理を施して製造する製品に対し、各工程について、その工程で製品に求められる規格情報やその工程内の装置の設定値などを仕様情報とし、それら複数の仕様情報をまとめた仕様情報一覧表の作成や変更などの管理作業を、容易に行うことが可能な仕様情報管理方法および仕様情報管理システムに関する。
【背景技術】
【０００２】
従来、複数の加工工程で各種加工処理を施して製品を製造する場合、各工程で製品に求められる規格情報や各工程の装置の設定値などの製造条件を予め設定しておき、製造作業時に参照可能な形態で保持しておく仕様情報管理システムが用いられている（特許文献１参照）。
【０００３】
また、特定及び類似の仕様情報を持つ仕様管理情報一覧表を検索可能にし、必要な仕様情報を容易に取得可能な仕様情報管理システムも用いられている（特許文献２参照）。
【０００４】
以下に公知文献を示す。
【特許文献１】特開平４−１９３４６２号公報
【特許文献２】特開平７−１２９６４４号公報
【発明の開示】
【発明が解決しようとする課題】
【０００５】
しかしながら従来の方法では、仕様管理情報一覧表の作成や内容変更などを行うときの作業性については必ずしも考慮されていなかった。
【０００６】
多品種少量生産により仕様管理情報一覧表の数は増大の傾向にあり、また不良発生防止などの品質管理上の要請から、仕様管理情報一覧表で管理される仕様情報はより複雑に、かつ項目数も増大の傾向にある。そのため仕様管理情報一覧表の作成や内容変更などの管理作業には労力と時間が必要となってきており、また設定ミス発生の可能性も高くなっている。
【０００７】
本発明はこのような事情に鑑みてなされたものであり、複数の加工工程で各種加工処理を施して製造する製品に対し、その各工程で製品に求められる規格情報や各工程内の装置の設定値などの、仕様情報をまとめた仕様情報一覧表の、作成や変更などの管理作業を容易に行うことが可能な仕様情報管理方法および仕様情報管理システムを提供することを目的とする。
【課題を解決するための手段】
【０００８】
上記の目的を達成するために、本発明では、以下のような手段を講じる。
【０００９】
即ち、請求項１の発明は、複数の加工工程で加工処理を施して製品を製造する際に、各工程についてその各工程での製品の規格情報およびその工程内の装置の設定値などを仕様情報としてまとめ、その仕様情報を仕様情報一覧表にしておいて用いる仕様情報管理方法であって、仕様情報作成・設定段階と、グループ識別番号設定段階と、仕様情報一覧表作成段階と、グループ識別番号追加段階と、仕様情報一覧表変更段階とを備えている。
【００１０】
仕様情報作成・設定段階では、作業者に対し、各仕様情報を作成・設定するよう促す。またグループ識別番号設定段階では、作業者に対し、複数の仕様情報を１つのグループとして関連付け、そのグループを一意に定めるグループ識別番号を設定することを促す。仕様情報一覧表作成段階では、作業者に対し、複数の仕様情報を１つのグループとして関連付け、そのグループを複数組み合わせることで１つの仕様情報一覧表の作成を促す。またグループ識別番号追加段階では、作業者に対し、仕様情報一覧表を変更する際に、個々の仕様情報と共にその仕様情報が属するグループを一意に定めるグループ識別番号を新たに追加設定することを促す。仕様管理情報一覧表変更段階では、作業者に対し、変更後のグループを含む複数のグループを組み合わせ、仕様情報一覧表を変更することを促す。
【００１１】
従って、請求項１の発明の仕様情報の管理方法においては、以上のような手段を講じることにより、複数の加工工程で各種加工処理を施して製造する製品について、製品の仕様情報について個々に設定を行い、個々に設定した仕様情報を１つのグループとして関連付け、そのグループをグループ識別番号によって一意に管理し、複数のグループを組み合わせることで１つの仕様情報一覧表を作成することができる。
【００１２】
また、仕様情報一覧表を変更するには、個々の仕様情報について変更を行うとともに、その仕様情報が属するグループを一意に定めるグループ識別番号を新たに追加し、そのグループを含む複数のグループを組み合わせるという作業を行えばよい。
【００１３】
これにより、一度作成したグループを複数の仕様情報一覧表で使用することができ、内容変更時にはグループの内容つまり仕様情報を変更した後、新たなグループ識別番号を設定し、今まで使用していたグループと内容を変更したグループを差し替えるだけでよいため、効率的な管理・変更が可能になる。
【００１４】
請求項２の発明は、請求項１に記載の仕様情報管理方法において、仕様情報および仕様情報一覧表の管理作業は通信ネットワークに接続している端末上で行われ、かつ通信ネットワークに接続している記憶媒体に、その仕様情報および仕様情報一覧表が記憶されることを特徴とする。
【００１５】
従って、請求項２の発明の仕様情報管理方法においては、以上のような手段を講じることにより、仕様情報および仕様情報一覧表の管理作業を通信ネットワークに接続された端末を用いて行うことができ、その内容を通信ネットワークを介して記憶媒体に記憶させることができる。
【００１６】
請求項３の発明は、請求項１または２の発明の仕様情報の管理方法において、仕様情報一覧表は、ある品種の製品の、加工工程毎に１つあるいは複数存在するとしたものである。
【００１７】
従って、請求項３の仕様情報の管理方法においては、以上のような手段を講じることにより、各品種の製品の、各加工工程でその加工内容を指定するのに必要な仕様管理情報一覧表を、必要な個数だけ準備して使用することができる。
【００１８】
請求項４の発明は、請求項１乃至３の発明の仕様情報の管理方法において、グループ識別番号に設定された識別番号をもとに、全ての仕様情報一覧表の中から当該グループ識別番号を持つ全ての仕様情報一覧表を取得することが可能としたものである。
【００１９】
従って、請求項４の発明の仕様情報の管理方法においては、以上のような手段を講じることにより、ある所定のグループ識別番号をもつグループが含まれている仕様情報一覧表の検索を行うことができるので、仕様情報一覧表の変更を行う際にグループ識別番号による効率的な作業を行うことができる。
【００２０】
請求項５の発明は、複数の加工工程で各種加工処理を施して製品を製造する際に、各工程についてその各工程での製品の規格情報および各工程内の装置の設定値などを仕様情報としてまとめ、その仕様情報を仕様情報一覧表にしておいて用いる仕様情報管理システムであって、仕様情報作成・設定手段と、グループ識別番号設定手段と、仕様情報一覧表作成手段と、グループ識別番号追加手段と、仕様情報一覧表変更手段とを備えている。
【００２１】
仕様情報作成・設定手段では、作業者に対し、各仕様情報を作成・設定するよう促す。またグループ識別番号設定手段では、作業者に対し、複数の仕様情報を１つのグループとして関連付け、そのグループを一意に定めるグループ識別番号を設定することを促す。仕様情報一覧表作成手段では、作業者に対し、複数の仕様情報を１つのグループとして関連付け、そのグループを複数組み合わせることで１つの仕様情報一覧表の作成を促す。またグループ識別番号追加手段では、仕様情報一覧表を変更する際に、作業者に対し、個々の仕様情報と共にその仕様情報が属するグループを一意に定めるグループ識別番号を新たに追加設定することを促す。仕様管理情報一覧表変更手段では、作業者に対し、変更後のグループを含む複数のグループを組み合わせ、仕様情報一覧表を変更することを促す。
【００２２】
従って、請求項５の発明の仕様情報の管理システムにおいては、以上のような手段を講じることにより、複数の加工工程で各種加工処理を施して製造する製品について、製品の仕様情報について個々に設定を行い、個々に設定した仕様情報を１つのグループとして関連付け、そのグループをグループ識別番号によって一意に管理し、複数のグループを組み合わせることで１つの仕様情報一覧表を作成することができる。
【００２３】
また、仕様情報一覧表を変更するには、個々の仕様情報について変更を行うとともに、その仕様情報が属するグループを一意に定めるグループ識別番号を新たに追加し、そのグループを含む複数のグループを組み合わせるという作業を行えばよい。
【００２４】
これにより、一度作成したグループを複数の仕様情報一覧表で使用することができ、内容変更時にはグループの内容つまり仕様情報を変更した後、新たなグループ識別番号を設定し、今まで使用していたグループと内容を変更したグループを差し替えるだけでよいため、効率的な管理・変更が可能になる。
【００２５】
請求項６の発明は、請求項５の発明の仕様情報の管理システムにおいて、仕様情報および仕様情報一覧表の管理作業は通信ネットワークに接続している端末上で行われ、かつ通信ネットワークに接続している記憶媒体にその仕様情報が記憶されることを特徴とする。
【００２６】
従って、請求項６の発明の仕様情報の管理システムにおいては、以上のような手段を講じることにより、仕様情報および仕様情報一覧表の管理作業を通信ネットワークに接続された端末を用いて行うことができ、その内容を通信ネットワークを介して記憶媒体に記憶させることができる。
【００２７】
請求項７の発明は、請求項５または６の発明の仕様情報の管理システムにおいて、仕様情報一覧表は、ある品種の製品の、加工工程毎に１つあるいは複数存在するとしたものである。
【００２８】
従って、請求項７の仕様情報の管理システムにおいては、以上のような手段を講じることにより、各品種の製品の、各加工工程でその加工内容を指定するのに必要な仕様管理情報一覧表を、必要な個数だけ準備して使用することができる。
【００２９】
請求項８の発明は、請求項５乃至７の発明の仕様情報の管理システムにおいて、グループ識別番号に設定された識別番号をもとに、全ての仕様情報一覧表の中から当該グループ識別番号を持つ全ての仕様情報一覧表を取得する手段を持つとしたものである。
【００３０】
従って、請求項８の発明の仕様情報の管理システムにおいては、以上のような手段を講じることにより、ある所定のグループ識別番号をもつグループが含まれている仕様情報一覧表の検索を行うことができるので、仕様情報一覧表の変更を行う際にグループ識別番号による効率的な作業を行うことができる。
【発明の効果】
【００３１】
本発明の仕様情報の管理方法および管理システムによれば、複数の加工工程で各種加工処理を施して製品を製造する際に、その製品の仕様情報について個別に設定を行い、個々に設定した仕様情報を１つのグループとして関連付け、そのグループをグループ識別番号によって一意に管理し、複数のグループを組み合わせることで１つの仕様情報一覧表を作成することができる。
【００３２】
また、仕様情報一覧表を変更するときには、個々の仕様情報について変更を行うとともに、その仕様情報が属するグループを一意に定めるグループ識別番号を新たに追加設定し、そのグループを含む複数のグループを組み合わせるという作業を行えばよい。
【００３３】
これにより、一度作成したグループを複数の仕様情報一覧表で使用することができ、内容変更時にはグループの内容つまり仕様情報を変更した後、新たなグループ識別番号を設定し、今まで使用していたグループと内容を変更したグループを差し替えるだけでよいため、効率的な管理・変更が可能になる。
【発明を実施するための最良の形態】
【００３４】
以下に、本発明を実施するための最良の形態について図面を参照しながら説明する。
【００３５】
図１は、本実施例に係る仕様情報管理方法を適用した仕様情報管理システムが適用される構成例を示す概念図である。
【００３６】
すなわち、本実施例に係る仕様情報管理方法を適用した仕様情報管理システム１０は、通信ネットワーク１３を介して、仕様情報管理端末１４及び製造ライン１５が備える加工工程１６にそれぞれ接続しており、加工工程１６には仕様情報確認端末１７が接続されている。また、仕様情報管理システム１０は、仕様情報データベース１１と演算部１２とを備えている。
【００３７】
なお、仕様情報管理端末１４及び仕様情報確認端末１７は図示しないマウスやキーボードなどの入力手段を備えている。また、仕様情報管理端末１４は単数のみ示しており、仕様情報管理端末１７は加工工程１６ごとに単数のみ示しているが、これは何れも単数に限定するものではなく、それぞれ複数ある場合であっても、本実施例に係る仕様情報管理方法を適用した仕様情報管理システム１０は適用可能である。
【００３８】
図２は、本実施例に係る仕様情報管理方法を適用した仕様情報管理システムが適用される仕様情報一覧表を表している。仕様情報一覧表２０には、複数の仕様情報２１が記載されている。それぞれの仕様情報２１は、仕様項目２２とそれに対して設定された指示値２３とからなっている。また複数の仕様情報２１について関連性のあるものをグループとしてまとめ、そのグループにグループ識別番号２４を付して管理する。
【００３９】
なお、仕様情報２１の仕様項目２２及び指示値２３の内容は何れも図２の内容に限定するものではなく、どのような内容であっても、本実施例に係る仕様情報管理方法を適用した仕様情報管理システム１０は適用可能である。また、仕様情報２１のそれぞれの関連性について図２の内容に限定するものではなく、どのようなグループ分けを行い、グループ識別番号２４によって管理を行うものであっても、本実施例に係る仕様情報管理方法を適用した仕様情報管理システム１０は適用可能である。
【００４０】
図３は、本実施例に係る加工工程における仕様情報一覧表の構成の一例を表している。互いによく似た製品でも品種によって求められる仕様は異なり、同じ装置を使って同じ加工工程を通す場合でも、仕様情報２１の内容を変化させる必要がある。従って、ひとつの加工工程においては、異なる仕様の製品ごとにそれぞれ異なる仕様情報一覧表２０が必要となる。
【００４１】
本実施例では同一仕様の製品を、品種という単位で区分けする。それぞれの品種には加工工程１６毎にそれぞれ異なる仕様情報一覧表２０が存在することになる。
【００４２】
次に、以上のように構成した本実施例に係る仕様情報管理方法を適用した仕様情報管理システムの動作について、フローチャートを用いて説明する。
【００４３】
まず、本実施例に係る仕様情報管理方法を適用した仕様情報管理システムにおいて、加工工程の仕様情報２１の設定及びグループ識別番号２４の設定の動作について、図４に示すフローチャートを用いて説明する。
【００４４】
新たに設定を行いたい仕様項目２２の選択を行い（Ｓ１）、ここで選択された仕様項目２２が仕様情報データベース１１に存在するか否かの判定を行う（Ｓ２）。存在していればその仕様項目２２を設定対象とし、存在しなければ新たな仕様項目２２として追加して（Ｓ３）から、設定対象とする。次に設定対象となった仕様項目２２に指示値２３を設定する処理を行う（Ｓ４）。
【００４５】
例えば図２において、仕様項目２２の“回転数”に指示値２３を設定したい場合、図２の段階では仕様情報データベース１１に“回転数”という仕様項目２２が存在するため、仕様項目２２の追加処理は行われず、“回転数”の指示値として例えば“６００”を設定する処理のみを行う。
【００４６】
一方、“回転数２”という項目を設定したい場合、図２の段階では仕様情報データベース１１に“回転数２”という仕様項目２２が存在しないため、新しい仕様項目２２として“回転数２”の追加処理を行い、さらに“回転数２”の指示値として例えば“６５０”を設定する処理を行う。
【００４７】
仕様情報２１を複数設定する場合、Ｓ１〜Ｓ４の処理を繰り返し行う（Ｓ５）。
【００４８】
仕様情報２１の設定処理終了後、新たに設定を行いたいグループ識別番号２４の選択を行う（Ｓ６）。ここで、求めているグループ識別番号２４が仕様情報データベース１１に存在するか否かの判定を行い（Ｓ７）、存在しなければ新たなグループ識別番号２４として追加する（Ｓ８）。そして、仕様情報２１とグループ識別番号２４の関連付けの処理を行う。例えば図２においては、仕様情報“回転数”、“搬送速度”、“水量”はグループ識別番号“グループＣ１”に関連付けられている状態ということになる。
【００４９】
以上の処理により、本実施例に係る仕様情報管理方法を適用した仕様情報管理システムにおいて、加工工程の項目設定及びグループ識別番号の設定を行うことができる。
【００５０】
次に、本実施例に係る仕様情報管理方法を適用した仕様情報管理システムにおいて、仕様情報一覧表２０の作成の動作について、図５に示すフローチャートを用いて説明する。
【００５１】
図４で作成したグループ識別番号２４を仕様管理データベース１１より選択する（Ｓ１１）。選択したグループ識別番号２４を作成中の仕様情報一覧表２０に追加する（Ｓ１２）。
【００５２】
作成中の仕様情報一覧表２０に複数のグループ識別番号２４を設定する場合、Ｓ１１、Ｓ１２の処理を繰り返し行う（Ｓ１３）。
【００５３】
必要なグループ識別番号２４を全て設定し終わったら、仕様管理データベース１１に仕様情報一覧表２０として登録する（Ｓ１４）。
【００５４】
例えば図２において、仕様管理データベース１１から“グループＡ１”を選択し、作成中の仕様情報一覧表２０に追加する。さらに“グループＢ１”  、“グループＣ１”  、“グループＤ１”  、“グループＥ１”を仕様情報一覧表２０に追加する処理を行う。仕様情報一覧表２０への、グループの設定が終了したら、この仕様情報一覧表２０を仕様管理データベース１１に登録する処理を行う。
【００５５】
次に、本実施例に係る仕様情報管理方法を適用した仕様情報管理システムにおいて、仕様情報一覧表の内容変更の動作について、図６に示すフローチャートを用いて説明する。
【００５６】
変更を行う仕様情報２１を持つグループ識別番号２４を選択する（Ｓ２１）。その中で、変更を行う仕様情報２１を選択し（Ｓ２２）、選択した仕様情報２１の変更を行う（Ｓ２３）。例えば図２において、グループ識別番号２４の“グループＣ１”が持つ仕様情報２１の“回転数”項目の指示値を変更したい場合、仕様情報データベース１１からグループ識別番号２４の“グループＣ１”を選択し、その中の仕様情報２１の“回転数”項目を選択する。図２では指示値が“５００”となっているのを、例えば“６００”に変更する処理を行う。
【００５７】
同じグループに含まれる仕様情報２１を複数変更する場合、Ｓ２２〜Ｓ２３の処理を繰り返し行う（Ｓ２４）。
【００５８】
仕様情報２１の変更処理終了後、グループ識別番号２４の変更処理を行う（Ｓ２５）。例えば図２において、グループ識別番号２４の“グループＣ１”の内容を変更した場合、グループ識別番号２４を“グループＣ２”に変更する処理を行う。
【００５９】
複数のグループ識別番号２４について変更する場合、Ｓ２１〜Ｓ２５の処理を繰り返し行う（Ｓ２６）。
【００６０】
変更前のグループ識別番号２４を使用していた仕様情報一覧表２０を仕様情報データベース１１から取得し（Ｓ２７）、変更後のグループ識別番号２４と差し替える（Ｓ２８）。例えば図２において、グループ識別番号２４の“グループＣ１”が持つ仕様情報２１の内容を変更し、グループ識別番号２４を“グループＣ２”に変更した場合、“グループＣ１”を使用していた仕様情報一覧表２０を仕様情報データベース１１から取得し、グループ識別番号２４の“グループＣ１”を“グループＣ２”に差し替える処理を行う。
【００６１】
次に、本実施例に係る仕様情報管理方法を適用した仕様情報管理システムにおいて、関連項目を含めた仕様管理情報一覧表の内容変更の動作について、図７に示すフローチャートを用いて説明する。
【００６２】
まず、前述の関連項目の内容について図２及び図３を用いて説明する。ある品種の製品を製造する際、求められる規格はあらかじめ決まっており、逆に言えば求められている規格を満たす製品を作ることができれば、加工過程の内容は問われないことが一般的である。
【００６３】
例えば図２において、得意先から求められる製品の規格が仕様情報一覧表２０において、グループ識別番号２４の“グループＢ１”で定められた値であるとする。それ以外の  “グループＣ１”、“グループＤ１”、“グループＥ１”は、“グループＢ１”を満たすための、その加工工程の装置や材料の設定情報である。
【００６４】
ここで、グループ識別番号２４の“グループＤ１”で定められている仕様情報２１つまり“レジスト名”項目について設定されていた指示値“ＡＢＣ”のレジストが無くなったとし、新しく“ＡＢＤ”というレジストを使用することになったとする。
この場合、図６のフローチャートにより、仕様情報一覧表２０の内容変更処理を行うが、“グループＤ１”の内容が変わったことにより、“グループＤ１”の部分のみを変更しただけの仕様情報一覧表２０を作成し、製品を製造すると、“グループＢ１”の内容、つまり得意先から求められる製品の規格から外れる可能性がある。
【００６５】
その際、仕様情報２１の再検討により、“グループＣ１”に設定されている仕様情報２１の“回転数”項目を“５００”から“５５０”に変更し、“水量”項目を“４．０”から“５．０”に変更すれば、“ＡＢＤ”のレジストを使用したとしても、“グループＢ１”の内容、つまり得意先から求められる製品の規格に合致する製品が製造できることが、試作などにより分かったとする。
【００６６】
この時の、関連項目を含めた仕様管理情報一覧表の内容変更手順は以下の通りになる。
まず、グループ識別番号２４の“グループＤ１”で定められている仕様情報２１の“レジスト名”項目について指示値を“ＡＢＣ”から“ＡＢＤ”に変更するという、図６のフローチャートに記載の、仕様情報一覧表２０の内容変更処理を行う。
【００６７】
次に、得意先から求められる製品の規格つまり“グループＢ１”の内容を満たすために、“グループＣ１”に設定されている仕様情報２１の“回転数”項目の指示値を“５００”から“５５０”に変更し、“水量”項目の指示値を“４．０”から“５．０”に変更する処理を行えばよいことになる。従って、前述の関連項目は、具体的には仕様情報２１の“回転数”と水量“を表している。この一連の流れが図７に示すフローチャートである。
【００６８】
図６のフローチャートに示すグループ識別番号の変更処理を行い（Ｓ３１）、変更を施した内容に関連する仕様情報２１を持つグループ識別番号２４を選択する（Ｓ３２）。変更の必要がある仕様情報２１の選択を行い（Ｓ３３）、仕様情報２１の変更処理を行う（Ｓ３４）。
【００６９】
仕様情報２１を複数変更する場合、Ｓ３２〜Ｓ３４の処理を繰り返し行う（Ｓ３５）。
【００７０】
変更処理を行った仕様情報２１を持つグループ識別番号２４の変更処理を行う（Ｓ３６）。
【００７１】
複数のグループ識別番号２４について変更する場合、Ｓ３２〜Ｓ３６の処理を繰り返し行う（Ｓ３７）
【００７２】
変更前のグループ識別番号２４を使用していた仕様情報一覧表２０を仕様情報データベース１１から取得し（Ｓ３８）、変更後のグループ識別番号２４と差し替える（Ｓ３９）。
【００７３】
複数のグループ識別番号２４について変更する場合、Ｓ３８、Ｓ３９の処理を繰り返し行う（Ｓ４０）
【００７４】
以上、本発明を実施する為の最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【産業上の利用可能性】
【００７５】
本発明の仕様情報管理方法および仕様情報管理システムによれば、複数の加工工程で各種加工処理を施して製造する製品の、その各工程での製品の規格情報および各工程内の装置の設定値などの仕様情報や、それらの仕様情報をまとめた仕様情報一覧表について、作成や変更などの管理作業を、作業効率よく行うことが可能となる。
【図面の簡単な説明】
【００７６】
【図１】本発明の実施例に係る仕様情報管理方法を適用した仕様情報管理システムが適用される構成例を示す概念図。
【図２】仕様情報および仕様情報一覧表の一例を示す模式図。
【図３】加工工程における仕様情報一覧表の構成の一例を示す模式図。
【図４】仕様情報の項目設定及びグループ識別番号の設定の動作を示すフローチャート。
【図５】仕様情報一覧表の作成の動作を示すフローチャート。
【図６】仕様情報一覧表の内容変更の動作を示すフローチャート。
【図７】関連項目を含めた仕様管理情報一覧表の内容変更の動作を示すフローチャート。
【符号の説明】
【００７７】
１０…仕様情報管理システム
１１…仕様情報データベース
１２…演算部
１３…通信ネットワーク
１４…仕様情報管理端末
１５…製造ライン
１６…加工工程
１７…仕様情報確認端末
２０…仕様情報一覧表
２１…仕様情報
２２…仕様項目
２３…指示値
２４…グループ識別番号
【図１】
2008059415.tif 000003
【図２】
2008059415.tif 000004
【図３】
2008059415.tif 000005
【図４】
2008059415.tif 000006
【図５】
2008059415.tif 000007
【図６】
2008059415.tif 000008
【図７】
2008059415.tif 000009